(57)【要約】【課題】光ピックアップと送りラックを固定する締結部品の廃止により、低コスト化および組立ての簡素化を実現する。【解決手段】光ピックアップ３と送りラック４の間でガタが発生しないように弾性をもたせた保持部を送りラック４に構成することで光ピックアップ３をＡ、Ｂ方向に位置決め保持し、かつ、当保持部にフックを構成することでＣ、Ｄ方向の位置決め保持を兼用し、送りラック４にＥ、Ｆ方向に位置決め保持する位置決めピンを構成し、送りギヤ５と送りラック４の噛み合いがたを吸収するラック部の樹脂弾性を利用して送りラック５を光ピックアップ３に押圧させることで、光ピックアップ３と送りラック４を締結部品無しで固定する構成にした。【選択図】図２
2006114098.tif 000002
【特許請求の範囲】
【請求項１】
記録媒体に対して信号の記録または再生を行う光ピックアップと、前記光ピックアップを前記記録媒体の半径方向にスライド可能に保持して案内するガイドシャフトと、前記光ピックアップに取り付けた送りラックと、前記送りラックに噛み合って前記送りラックを前記記録媒体の半径方向に駆動する送りギヤと、前記送りラックに設けられ前記光ピックアップをそのスライド方向と直交する方向に位置決めをするピンと、前記送りラックに設けられ光ピックアップのスライド方向の位置決め保持をする位置決め腕と、前記位置決め腕に突設し前記光ピックアップの光軸方向の位置決めを行うフックと、前記送りラックに設けられ前記送りギヤと噛み合い前記送りギヤと噛み合う方向に弾性を有するラックとを備え、前記送りラックを前記光ピックアップに保持固定することを特徴とする光ディスク装置。
【請求項２】
前述送りラックに構成した光ピックアップを抜け止め保持する位置決め腕のフックを回動中心として、送りギヤと送りラックの噛み合いがたを吸収するラック部の弾性により、送りラックが光ピックアップに押圧されるように構成されており、光ピックアップと送りラックの保持固定が外れないようにしたことを特徴とする請求項１に記載の光ディスク装置。
【請求項３】
前述送りラックの位置決め腕にガイドシャフト径および光ピックアップの保持穴の径よりも大きい寸法の穴を構成し、穴と光ピックアップの保持穴にガイドシャフトを挿入することで異常な負荷がかかった場合でも、光ピックアップと送りラックの係合は外れないことを特徴としている。上記構成の場合、送りラックのラック部の弾性を利用してラックの抜け止め保持フックを中心に送りラックを光ピックアップに押圧した場合でも、光ピックアップの送りの負荷にならず精度良く光ピックアップをスライド出来ることを特徴とする請求項１に記載の光ディスク装置。
【請求項４】
記録媒体に対して信号の記録または再生を行う光ピックアップと、前記光ピックアップを前記記録媒体の半径方向にスライド可能に保持して案内するガイドシャフトと、前記光ピックアップに取り付けた送りラックと、前記送りラックに噛み合って前記送りラックを前記記録媒体の半径方向に駆動する送りギヤとを備え、
前記記録媒体の半径方向を第１の方向、前記光ピックアップの光軸方向を第２の方向、前記第１及び第２の方向と直交する方向を第３の方向と定義した時、
前記送りラックに設けられ前記光ピックアップの第３の方向の位置決めをするピンと、前記送りラックに設けられ前記光ピックアップの第１の方向の位置決めをする位置決め腕と、前記位置決め腕に突設し前記光ピックアップの第２の方向の位置決めを行うフックとを備えたことを特徴とする光ディスク装置。
【発明の詳細な説明】
【技術分野】
【０００１】
本発明は、部品数削減により構造の簡素な光ディスク装置に関するものである。
【背景技術】
【０００２】
光ディスクに記録再生するピックアップ駆動機構は光ピックアップを光ディスクの内周から外周までスライド移動させるためのガイドと光ピックアップと光ピックアップに締結固定された送りラックと当送りラックを駆動する送りギヤにより構成されている。光ディスクの記録再生には光ピックアップの送り量を精度良く制御する必要があり、送りギヤと送りラックの噛み合いがたを吸収する構造が必要である。通常は送りラックのラック部を樹脂で形成し樹脂の弾性によりラック部がたわむことを利用しピッチ線上の噛み合い量を多くし噛み合いがたを吸収している。更に、光ピックアップの送り量を精度良く制御するために光ピックアップと送りラックを固定する必要があり締結部品を用いている。
【０００３】
しかし締結部品を用いた固定方法では作業の工数が増える、また、締結部品の締め付けトルク管理が必要になるなど組立を簡素化する上での障害があった。
【特許文献１】特開２０００−２２２８０３号公報（第５−１９頁、第９図）
【発明の開示】
【発明が解決しようとする課題】
【０００４】
従来の構成では光ピックアップの送り量を精度良く制御するために、光ピックアップと光ピックアップを固定保持する送りラックは締結部品により固定されていた。解決しようとする問題点は、組立てを簡素化する上で障害となる締結部品による作業および作業の管理である。
【課題を解決するための手段】
【０００５】
本発明は、光ピックアップがガイドシャフトにスライド可能に支持され、光ピックアップに取り付けた送りラックが送りギヤに噛み合いされており、送りギヤを正逆回転させることにより送りラックを介して光ピックアップをガイドシャフトに沿ってスライド送りするようにした光ディスク装置において、送りラックの位置決めをするピンと光ピックアップのスライド方向に位置決め保持する位置決め腕と位置決め腕のフックにより、送りラックを光ピックアップに保持固定する構成にしたことを特徴としている。上記構成において、光ディスクをターンテーブル上に載置し、ターンテーブルを回転させるとともに、送りギヤを正逆回転させて、送りラックを介して光ピックをスライド送りすることにより光ピックアップにてディスクに記憶されている情報の再生や記録または消去を行なう。この場合、光ピックアップのスライド方向の位置決めは、送りラックの弾性のある位置決め腕にて行ない、スライド方向に直交する方向の位置決めは、送りラックの位置決めをするピンと送りギヤと送りラックの噛み合いがたを吸収する弾性のあるラック部の押圧にて行ない、これら２方向の位置決めの抜け止めには前述送りラックの位置決め腕に構成したフックにて行なっており、光ピックアップと送りラックの保持固定を締結部品無しで簡単行なうことができる。また、本発明は前述送りラックに構成した光ピックアップを抜け止め保持する位置決め腕のフックを回動中心として、送りギヤと送りラックの噛み合いがたを吸収するラック部の弾性により、送りラックが光ピックアップに押圧されるように構成されており、光ピックアップと送りラックの保持固定が外れないようにしたことを特徴としている。上記構成の場合、締結部品無しで固定する構成にできる。更に本発明は、前述送りラックの位置決め腕にガイドシャフト径および光ピックアップの保持穴の径よりも大きい寸法の穴を構成し、穴と光ピックアップの保持穴にガイドシャフトを挿入することで異常な負荷がかかった場合でも、光ピックアップと送りラックの係合は外れないことを特徴としている。上記構成の場合、送りラックのラック部の弾性を利用してラックの抜け止め保持フックを中心に送りラックを光ピックアップに押圧した場合でも、光ピックアップの送りの負荷にならず精度良く光ピックアップをスライド出来る。
【発明の効果】
【０００６】
本発明は、光ピックアップのスライド方向の位置決めは送りラックの弾性のある位置決め腕にて行ない、スライド方向に直交する方向の位置決めは、送りラックの位置決めをするピンと送りギヤと送りラックの噛み合いがたを吸収する弾性のあるラック部の押圧にて行ない、これら２方向の位置決めの抜け止めには前述送りラックの位置決め腕に構成したフックにて行なっており、光ピックアップと送りラックの保持固定を締結部品無しで簡単行なうことができる。
【０００７】
また、前述送りラックに構成した光ピックアップを抜け止め保持する位置決め腕のフックを回動中心として、送りギヤと送りラックの噛み合いがたを吸収するラック部の弾性により、送りラックが光ピックアップに押圧されるように構成されており、締結部品無しで固定する構成にできる。
【０００８】
更に、前述送りラックの位置決め腕にガイドシャフト径および光ピックアップの保持穴の径よりも大きい寸法の穴を構成し、穴と光ピックアップの保持穴にガイドシャフトを挿入することで異常な負荷がかかった場合でも、光ピックアップと送りラックの係合は外れないように構成されており、送りラックのラック部の弾性を利用してラックの抜け止め保持フックを中心に送りラックを光ピックアップに押圧した場合でも、光ピックアップの送りの負荷にならず精度良く光ピックアップをスライド出来るなど、締結部品による光ピックアップと送りラックの固定を廃止し、作業の工数や締結部品の締め付けトルク管理などを簡素化できるという利点がある。
【発明を実施するための最良の形態】
【０００９】
本発明の請求項１に記載の発明は、記録媒体に対して信号の記録または再生を行う光ピックアップと、前記光ピックアップを前記記録媒体の半径方向にスライド可能に保持して案内するガイドシャフトと、前記光ピックアップに取り付けた送りラックと、前記送りラックに噛み合って前記送りラックを前記記録媒体の半径方向に駆動する送りギヤと、前記送りラックに設けられ前記光ピックアップをそのスライド方向と直交する方向に位置決めをするピンと、前記送りラックに設けられ光ピックアップのスライド方向の位置決め保持をする位置決め腕と、前記位置決め腕に突設し前記光ピックアップの光軸方向の位置決めを行うフックと、前記送りラックに設けられ前記送りギヤと噛み合い前記送りギヤと噛み合う方向に弾性を有するラックとを備え、前記送りラックを前記光ピックアップに保持固定するものである。
【００１０】
請求項２に記載の発明は、前述送りラックに構成した光ピックアップを抜け止め保持する位置決め腕のフックを回動中心として、送りギヤと送りラックの噛み合いがたを吸収するラック部の弾性により、送りラックが光ピックアップに押圧されるように構成されており、光ピックアップと送りラックの保持固定が外れないようにした。
【００１１】
請求項３に記載の発明は、前述送りラックの位置決め腕にガイドシャフト径および光ピックアップの保持穴の径よりも大きい寸法の穴を構成し、穴と光ピックアップの保持穴にガイドシャフトを挿入することで異常な負荷がかかった場合でも、光ピックアップと送りラックの係合は外れないことを特徴としている。上記構成の場合、送りラックのラック部の弾性を利用してラックの抜け止め保持フックを中心に送りラックを光ピックアップに押圧した場合でも、光ピックアップの送りの負荷にならず精度良く光ピックアップをスライド出来るものである。
【００１２】
請求項４に記載の発明は、記録媒体に対して信号の記録または再生を行う光ピックアップと、前記光ピックアップを前記記録媒体の半径方向にスライド可能に保持して案内するガイドシャフトと、前記光ピックアップに取り付けた送りラックと、前記送りラックに噛み合って前記送りラックを前記記録媒体の半径方向に駆動する送りギヤとを備え、前記記録媒体の半径方向を第１の方向、前記光ピックアップの光軸方向を第２の方向、前記第１及び第２の方向と直交する方向を第３の方向と定義した時、前記送りラックに設けられ前記光ピックアップの第３の方向の位置決めをするピンと、前記送りラックに設けられ前記光ピックアップの第１の方向の位置決めをする位置決め腕と、前記位置決め腕に突設し前記光ピックアップの第２の方向の位置決めを行うフックとを備えたものである。
【００１３】
すなわち本発明の光ディスク装置は、光ピックアップのスライド方向の位置決めは送りラックの弾性のある位置決め腕にて行ない、スライド方向に直交する方向の位置決めは、送りラックの位置決めをするピンと送りギヤと送りラックの噛み合いがたを吸収する弾性のあるラック部の押圧にて行ない、これら２方向の位置決めの抜け止めには前述送りラックの位置決め腕に構成したフックにて行なっており、締結部品なしで光ピックアップと送りラックの固定をおこなっている。また、前述位置決め腕部に構成されたフックを回動中心とし、送りラックのラック部弾性により送りラックが光ピックアップに押圧されるため、光ピックアップから送りラックが外れないように構成されている。更に、前述送りラックの位置決め腕部にはガイドシャフト径および光ピックアップの保持穴の径よりも大きい寸法の穴を構成し、穴と光ピックアップの保持穴にガイドシャフトを挿入することで異常な負荷がかかった場合でも、光ピックアップと送りラックの係合は外れない構成にすることで、締結部品による光ピックアップと送りラックの固定を廃止し、最小の部品点数で作業の工数削減や締結部品の締め付けトルク管理廃止を行ない、光ディスクの記録再生時に光ピックアップの送り量を精度良く制御する光ディスク装置の性能を損なわずに実現した。
【００１４】
（実施の形態１）
以下、本発明の実施の形態を図面に基づいて説明する。図１は本発明装置の実施の形態の部品構成を示す分解斜視図、図２は図１における光ピックアップ近傍の拡大斜視図、図３は本装置の組立後の平面図、図４は同実施の形態におけるターンテーブル近傍の平面図、図５は図４における矢印Ｚ方向から見た側面図、図６は図４の矢印Ｙ方向から見た側面図で、説明をわかりやすくするめに光ピックアップ３及びラック４近傍については断面で示した（図４のＸ−Ｘ部の断面）。
【００１５】
図において、７は各種信号が記録された記録媒体であるディスク、３はディスク７に対して信号の記録再生を行う光ピックアップで、レンズやレーザーダイオードなどから構成される、１はトラバースベース、２は光ピックアップ３及びラック４をディスク７の半径方向に案内するガイドシャフト、３ａは光ピックアップ３に形成されガイドシャフト２を貫通保持するガイドシャフト貫通部で、光ピックアップ３の移動方向と平行な貫通孔９が設けられガイドシャフト２が挿通される。３ｂは光ピックアップ３に設けられ後述する位置決めピン４ｄ及び４ｅが係合しラック４に対する光ピックアップ３の位置決めを行う位置決め穴、５は別途設けられたモータにより回転駆動する送りギヤ、４は送りギヤ５に噛み合い送りギヤ５の回転駆動により矢印Ａ及びＢ方向へ移動する送りラック、４ａは送りギヤ５に噛み合う送りラック４のラック本体で、図示のように近傍に長孔を設けてラック本体４ａを矢印Ｅ及びＦ方向に弾性変形するように構成している。４ｂ及び４ｃは送りラック４に２カ所設けられた位置決め腕で、ガイドシャフト２が挿通する貫通孔８が設けられている。なお、位置決め腕４ｂ及び４ｃの間に光ピックアップ３のガイドシャフト貫通部３ａが位置し、位置決め腕４ｂ及び４ｃの対向方向への弾性力により保持される。４ｄ及び４ｅは送りラック４に設けられ光ピックアップ３の位置決め穴３ｂと係合する位置決めピン、４ｆ及び４ｇは送りラック４の位置決め腕４ｂ及び４ｃにおける相互対向面の上部に設けられたフックで、ガイドシャフト貫通部３ａの矢印Ｃ及びＤ方向への位置決めを行う。なお、ガイドシャフト貫通部３ａを位置決め腕４ｂ及び４ｃに容易に係合させるために、フック４ｆ及び４ｇの上部にテーパを設けてもよい。６はディスク７を載置し回転させるターンテーブルである。
【００１６】
なお、図２において、矢印Ａ及びＢ方向を第１の方向、光ピックアップ３のレンズの光軸方向と平行な矢印Ｃ及びＤ方向を第２の方向、第１及び第２の方向と直交する矢印Ｅ及びＦ方向を第３の方向と定義する。
【００１７】
以上のように構成された本実施の形態について、以下その組み立て構成及び組み立て後の構成について説明する。
【００１８】
光ピックアップ３がガイドシャフト２にスライド可能に支持され、光ピックアップ３に取り付けた送りラック４が送りギヤ５に噛み合いされており、送りギヤ５を正逆回転させることにより送りラック４を介して光ピックアップ３をガイドシャフト２に沿ってスライド送りするように構成されている。
【００１９】
光ディスク７はターンテーブル６上に載置され、ターンテーブル６を回転させるとともに、送りギヤ５を正逆回転させて、送りラック４を介して光ピック３をスライド送りすることにより光ピックアップ３にてディスク７に記憶されている情報の再生や記録または消去を行なう。
【００２０】
ラック４は樹脂成形品からなり、図２、図４〜図６に示すように、ガイドシャフト２と平行するラック本体４ａと、ラック本体４ａの両端に突設された一対の位置決め腕４ｂ、４ｃとを有しており、位置決め腕４ｂ、４ｃにはそれぞれフック４ｆ、４ｇが突設されている。
【００２１】
位置決め腕４ｂ、４ｃは図５に示すように光ピックアップ３のガイドシャフト貫通部３ａをその樹脂弾性を利用して挟み込み、送りラック４のＡ、Ｂ方向の位置決めを行なうとともに、フック４ｆ、４ｇによりＣ、Ｄ方向の位置決めも行なっている。
【００２２】
また、ラック４は図５〜図６に示すように、ラック本体４ａの両端に突設された２つの位置決めピン４ｄ、４ｅを有しており、光ピックアップ３の位置決め穴３ｂと嵌め合いし、かつ、ラック本体４ａと送りギヤ５の噛み合いによるラック本体４ａの樹脂弾性の反力でＦ方向に押圧されることで、Ｅ、Ｆ方向の位置決めを行なっている。
【００２３】
上記構成によれば、光ピックアップ３のスライド方向の位置決めは、送りラック４の弾性のある位置決め腕４ｂ、４ｃにて行ない、スライド方向に直交する方向の位置決めは、送りラック４の位置決めピン４ｄ、４ｅと送りギヤ５と送りラックの噛み合いがたを吸収する弾性のあるラック４ａの押圧にて行ない、これら２方向に直交する方向の抜け止めには、送りラック４に構成したフック４ｆ、４ｇにて行なっており、光ピックアップ３と送りラック４の保持固定を締結部品無しで簡単に行なうことができる。
【００２４】
前記ラック４は図５、図６に示すように、ラック本体４ａを光ピックアップ３のＣ面側、フック４ｆ、４ｇを光ピックアップ３のＤ面側に配置することで、ラック本体４ａと送りギヤ５の噛み合いによるラック本体４ａの樹脂弾性反力により、光ピックアップ３と送りラック４のＣ、Ｄ方向の位置決めを行なっているフック４ｆ、４ｇを回転中心として、光ピックアップ３のＧ方向に押圧される。上記構成によれば、光ピックアップ３と送りラック４の保持固定を締結部品無しで簡単に行なうことができる。
【００２５】
更に、前記ラック４は図６に示すように、ラックの位置決め腕４ｂ、４ｃおよび、光ピックアップ３のガイドシャフト貫通部３ａに貫設した貫通孔８、９にガイドシャフト２を挿通することにより、そのガイドシャフト２にスライド可能に保持されるため、落下などの衝撃により送りラック４に異常な力が生じたときにも、送りラック４と光ピックアップ３の係合が外れることはない。
【００２６】
また、送りラック４の貫通孔８の径は光ピックアップ３のガイドシャフト貫通孔９の径に比べ、大きく設定しているため、ラックの位置決め腕４ｂ、４ｃが樹脂弾性で撓んだ場合でも、ガイドシャフト２に対し、貫通孔８、９が相対的に詰まることはない。上記構成によれば、異常な負荷がかかった場合でも、光ピックアップ３と送りラック４の係合は外れないように構成されており、また送りラック４のラック部の弾性を利用してラックの抜け止め保持フックを中心に送りラック４を光ピックアップ３に押圧した場合でも、光ピックアップ３の送りの負荷にならず精度良く光ピックアップ３をスライド出来るなど、締結部品による光ピックアップと送りラックの固定を廃止し、作業の工数や締結部品の締め付けトルク管理などを簡素化できる。
【産業上の利用可能性】
【００２７】
本発明にかかる光ディスク装置は光ピックアップのスライド方向の位置決めは送りラックの弾性のある位置決め腕にて行ない、スライド方向に直交する方向の位置決めは、送りラックの位置決めをするピンと送りギヤと送りラックの噛み合いがたを吸収する弾性のあるラック部の押圧にて行ない、これら２方向の位置決めの抜け止めには前述送りラックの位置決め腕に構成したフックにて行なっており、締結部品なしで光ピックアップと送りラックの固定をおこなっている。また、前述位置決め腕部に構成されたフックを回動中心とし、送りラックのラック部弾性により送りラックが光ピックアップに押圧されるため、光ピックアップから送りラックが外れないように構成されている。更に、前述送りラックの位置決め腕部にはガイドシャフト径および光ピックアップの保持穴の径よりも大きい寸法の穴を構成し、穴と光ピックアップの保持穴にガイドシャフトを挿入することで異常な負荷がかかった場合でも、光ピックアップと送りラックの係合は外れない構成にすることで、光ディスクの記録再生時に光ピックアップの送り量を精度良く制御するために送りラックのラック部を別部品のばねを用いて送りギヤと送りラックの噛み合いロスを吸収している光ピックアップ送り機構にも適用できる。
【図面の簡単な説明】
【００２８】
【図１】本発明の実施の形態に於ける光ディスク装置の部品構成斜視図
【図２】同実施の形態における図１の部分斜視図
【図３】本発明の実施の形態に於ける光ディスク装置の組立平面図
【図４】同実施の形態における図３の部分平面図
【図５】同実施の形態における図３の部分左側面図
【図６】同実施の形態における図３の部分下面図
【符号の説明】
【００２９】
１    トラバースベース
２    ガイドシャフト
３    光ピックアップ
３ａ    光ピックアップのガイドシャフト貫通部
３ｂ    光ピックアップの位置決め穴
４    送りラック
４ａ    送りラックのラック本体
４ｂ、４ｃ    送りラックの位置決め腕
４ｄ，４ｅ    送りラックの位置決めピン
４ｆ、４ｇ    送りラックのフック
５    送りギヤ
６    ターンテーブル
７    ディスク
８、９    貫通孔
【図１】
2006114098.tif 000003
【図２】
2006114098.tif 000004
【図３】
2006114098.tif 000005
【図４】
2006114098.tif 000006
【図５】
2006114098.tif 000007
【図６】
2006114098.tif 000008